(57)【要約】【課題】暖房機の検査作業の効率化を目的とするものである。【解決手段】複数のシーズヒーター７，８、マイカヒーター９と、室温を検出用のサーミスタ５と、各種運転設定を行う操作部３と、この操作部３での運転設定を表示するための表示部４と、前記操作部３での運転設定と前記サーミスタ５からの室温により前記シーズヒーター７，８とマイカヒーター９への通電パターンを切り替えて暖房運転を制御する制御部２と、商用電源を直接入り切りできる運転スイッチ１とを備え、前記操作部３の複数のスイッチを同時押ししながら、前記運転スイッチ１をＯＮした時、特殊処理モードになる構成とすることで、一般ユーザが設定することは無く、生産工程で特殊処理モードにする事で、誤配線や部品不良による通電不良、ランプの視認性やスイッチの受付感など組立状態を、効率よく確認でき、検査作業の効率化が図れる。【選択図】図１
2006349300.tif 000002
【特許請求の範囲】
【請求項１】
採暖するための複数のシーズヒーターと、マイカ板でヒーター線を挟んでパネル面と面接触させて遠赤外線を輻射させるマイカヒーターと、室温を検出するためのサーミスタと、手動設定や自動設定、タイマー設定などの各種運転設定を行う操作部と、前記操作部での運転設定を表示するための表示部と、前記操作部での運転設定と前記サーミスタからの室温により前記シーズヒーターと前記マイカヒーターへの通電パターンを切り替えて暖房運転を制御する制御部と、商用電源を直接入り切りできる運転スイッチとを備え、前記操作部の複数のスイッチを同時押ししながら、前記運転スイッチをＯＮした時、前記制御部は特殊処理モードになる構成とした暖房機。
【請求項２】
制御部は、特殊処理モードを受け付けた時、表示部を一定時間全点灯させる構成とした請求項１記載の暖房機。
【請求項３】
制御部は、特殊処理モードを受け付けた後、前記シーズヒーターと前記マイカヒーターの通電／非通電に連動して予め決めた前記表示部のランプを点灯／消灯させて運転する構成とした請求項１または２記載の暖房機。
【請求項４】
制御部には、前記操作部での設定内容や運転中の各種情報を記憶するための不揮発性記憶装置を内蔵しており、前記制御部は、特殊処理モードを受け付けた時、前記不揮発性記憶装置の記憶内容を予め設定された初期値に書き換えると共に、特殊処理モードが解除されるまで前記操作部で設定を変更したり運転中の各種情報に変化があっても前記不揮発性記憶装置に記憶しない構成とした請求項１記載の暖房機。
【請求項５】
制御部は、特殊処理モードを受け付けた後は、運転スイッチのＯＦＦ操作でのみ特殊処理モードを解除できる構成とした請求項１〜４のいずれか１項に記載の暖房機。
【発明の詳細な説明】
【技術分野】
【０００１】
本発明は、暖房機、特にその制御装置に関するものである。
【背景技術】
【０００２】
従来、この種の暖房機の制御装置は、一般ユーザが通常の暖房機として使用する運転モードのみプログラムされている。つまり、生産工程での検査工程に対する効率化の配慮がされていないため、検査員は通常の運転モードにて表示状態の確認やヒーターなどの負荷への通電確認を行う構成になっていた（例えば、特許文献１参照）。
【特許文献１】特開平１０−０７３２６２号公報
【発明の開示】
【発明が解決しようとする課題】
【０００３】
しかしながら、前記従来の構成では、生産工程で全ての表示確認をするためには操作部のキーを何回も押して表示を切り替えて表示部のランプやＬＥＤを点灯させて確認する必要があった。
【０００４】
また、検査作業のために操作部のキーを押すことによって変更された設定や、運転中の各種情報が、不揮発性記憶装置に記憶されているが、そのデータを工場出荷時の設定にいちいち記憶し直す必要があった。
【０００５】
さらに、ヒーターなどの負荷への通電確認を行う為には、特別な計測器や測定治具を接続する必要があった。
【０００６】
本発明は、このような従来の課題を解決するもので、生産工場での工程品質を向上し、加えて、検査作業の効率化を目的とするものである。
【課題を解決するための手段】
【０００７】
前記従来の課題を解決するために、本発明の暖房機は、採暖するための複数のシーズヒーターと、マイカ板でヒーター線を挟んでパネル面と面接触させて遠赤外線を輻射させるマイカヒーターと、室温を検出するためのサーミスタと、手動設定や自動設定、タイマー設定などの各種運転設定を行う操作部と、前記操作部での運転設定を表示するための表示部と、前記操作部での運転設定と前記サーミスタからの室温により前記シーズヒーターと前記マイカヒーターへの通電パターンを切り替えて暖房運転を制御する制御部と、商用電源を直接入り切りできる運転スイッチとを備え、前記操作部の複数のスイッチを同時押ししながら、前記運転スイッチをＯＮした時、前記制御部は特殊処理モードになる構成としたものである。
【０００８】
これによって、特殊処理モードにするためには、複数のスイッチを同時押ししながら、運転スイッチをＯＮするという両手による複雑な操作が必要なため、一般ユーザが設定することは無く、誤操作等でも設定することは考えにくい。従って、一般ユーザが使用する通常運転とは異なる運転状態になったり、表示／操作仕様になったりすることも無く、不安感を与える事が無い。そして、生産工程では特殊処理モードにする事で、誤配線や部品不良による通電不良、ランプの視認性やスイッチの受付感など組立状態を、効率よく確認できるので、検査作業の効率化し、かつ品質の安定した暖房機の制御装置を提供できる。
【発明の効果】
【０００９】
本発明の暖房機の制御装置は、生産工場での工程品質を良くするとともに検査作業を効
率化することができる。
【発明を実施するための最良の形態】
【００１０】
第１の発明は、採暖するための複数のシーズヒーターと、マイカ板でヒーター線を挟んでパネル面と面接触させて遠赤外線を輻射させるマイカヒーターと、室温を検出するためのサーミスタと、手動設定や自動設定、タイマー設定などの各種運転設定を行う操作部と、前記操作部での運転設定を表示するための表示部と、前記操作部での運転設定と前記サーミスタからの室温により前記シーズヒーターと前記マイカヒーターへの通電パターンを切り替えて暖房運転を制御する制御部と、商用電源を直接入り切りできる運転スイッチとを備え、前記操作部の複数のスイッチを同時押ししながら、前記運転スイッチをＯＮした時、前記制御部は特殊処理モードになる構成としたものである。したがって、一般ユーザが設定したり、誤操作等で設定する可能性をより低くすることができ、一般ユーザが使用する通常運転とは異なる運転状態になったり、表示／操作仕様になったり、不安感を与えたりする可能性を低くする事ができる。そして、生産工程では特殊処理モードにする事で、誤配線や部品不良による通電不良、ランプの視認性やスイッチの受付感など組立状態を、効率よく確認できる検査作業の効率化した暖房機の制御装置を提供できる。
【００１１】
第２の発明は、特に第１の発明の暖房機を、制御部は、特殊処理モードを受け付けた時、表示部を一定時間全点灯させる構成にすることにより、機器内部の配線のミスや部品不良により点灯しないランプを瞬時に検出できるので検査作業の効率化ができる。
【００１２】
第３の発明は、特に第１の発明または第２の発明の暖房機を、制御部は、特殊処理モードを受け付けた後、シーズヒーターとマイカヒーターの通電／非通電に連動して予め決めた表示部のランプを点灯／消灯させて運転する構成にすることにより、機器内部の配線のミスや部品不良により通電しないヒーターを瞬時に検出できるので検査作業の効率化ができる。
【００１３】
第４の発明は、特に第１〜第３のいずれか１つの発明の暖房機を、制御部には、操作部での設定内容や運転中の各種情報を記憶するための不揮発性記憶装置を内蔵しており、前記制御部は、特殊処理モードを受け付けた時、前記不揮発性記憶装置の記憶内容を予め設定された初期値に書き換えると共に、特殊処理モードが解除されるまで前記操作部で設定を変更したり運転中の各種情報に変化があっても前記不揮発性記憶装置に記憶しない構成にすることにより、検査員が検査終了後に工場出荷時の設定にいちいち設定し直す必要もないので、品質を良くするとともに検査作業の効率化ができる。
【００１４】
第５の発明は、特に第１〜第４のいずれか１つの発明の暖房機を、制御部は、特殊処理モードを受け付けた後は、運転スイッチのＯＦＦ操作でのみ特殊処理モードを解除できる構成にすることにより、容易に解除できるので、検査作業の効率化ができると共に、万が一、一般ユーザが特殊処理モードに設定してしまっても、容易に解除できるので、品質を良くすることができる。
【００１５】
以下、本発明の実施の形態について、図面を参照しながら説明する。なお、本実施の形態によって本発明が限定されるものではない。
【００１６】
（実施の形態１）
図１において、１は運転スイッチ、２は暖房運転を制御する制御部、３は操作部であり、手動運転の設定を切り替えるための手動キーと、自動運転の設定を切り替える為の自動キーと、入タイマー設定をするためのタイマーキーがある。
【００１７】
４は表示部であり、３段階に切り替え可能な手動運転を表示するためのＬＥＤと、５段
階に切り替え可能な自動運転を表示するためのＬＥＤと、入タイマーの時間を表示するための７セグメント数字表示部がある。
【００１８】
５は室温を検出するための室温サーミスタ、６は制御部２の内部に配設された操作部３での設定内容や運転中の各種情報を記憶するための不揮発性記憶装置、７，８はシーズヒーター、９はマイカヒーターで、これら各ヒーター７，８，９にはそれぞれのＯＮ／ＯＦＦを行うための駆動素子１０，１１，１２が接続されている。各駆動素子１０，１１，１２は制御部２からのＯＮ／ＯＦＦ信号により制御される。
【００１９】
また、図２は、本発明の第１の実施の形態における制御装置のフローチャートを示すものである。
【００２０】
以上のように構成された暖房機において、以下その動作、作用を図２のフローチャートを用いて説明する。
【００２１】
運転スイッチ１がＯＦＦの時は制御部２へ電源は供給されないので何もしない（ＳＴ１１のＮｏ）。運転スイッチ１がＯＮされるとＳＴ１１はＹｅｓへと進む。通常、一般ユーザは運転スイッチ１のみＯＮするので、ＳＴ１２では、通常の運転処理を実行するためＳＴ１３へと進む。
【００２２】
そして、不揮発性記憶装置６に記憶されている運転情報を基に、あるいは、操作部３の手動キーや自動キーでユーザによって設定変更された運転モードを基に、暖房運転制御を行う。
【００２３】
ＳＴ１２にて、タイマーキーと自動キーの同時押しがされていれば、特殊処理モードを実行するため、ＳＴ１５へと進む。運転スイッチ１がＯＦＦからＯＮになった時だけ、操作部３のタイマーキーと自動キーの同時押しを判定しているので、運転スイッチＯＮ中に同時押しをしても特殊処理モードになることもなく、誤操作で設定する可能性をより低くすることで、一般ユーザが使用状態で通常とは異なる表示をしたり、運転をしたりすることがなく、不安感を与える可能性をより低くすることができ、品質を良くすることができる。
【００２４】
そして、生産工程では特殊処理モードにする事で、誤配線や部品不良による通電不良、ランプの視認性やスイッチの受付感など組立状態を、効率よく確認できるので、完成品検査をするために特別な計測器や測定治具を接続する事もなく、暖房機の制御装置で検査できるので検査作業を効率化できる。
【００２５】
次に、ＳＴ１５では表示部４の表示を全点灯させるためのタイマーをセットしてタイマーがオーバフローするまで全点灯させる（ＳＴ１６，１７）ので、検査員は特殊処理モードを受け付けた事を判断できる。そして、一定時間、全てのランプやＬＥＤを点灯させるので、配線不良や部品不良などで点灯しないランプやＬＥＤがあると瞬時に検出できるので品質を良くするとともに、検査作業を効率化できる。
【００２６】
次に、ＳＴ１８では不揮発性記憶装置６に工場出荷時の初期値を書き込む指示をしている。そして、特殊処理モードにする事で、必ず同じ設定値（例えば、自動の「３」）に設定して市場へ出荷できるので、ユーザが始めて使われた時に取り扱い説明書などと違う設定値から運転を始めて、不信感を与える事もなく、品質を良くする事ができる。
【００２７】
次に、ＳＴ１９では不揮発性記憶装置６への書き込み不許可フラッグを「１」にしている。上記のとおり、特殊処理モードを受け付る事で、不揮発性記憶装置６には必ず工場出
荷時の設定値を書き込む事ができ、かつ、特殊処理モードが解除されるまで（ＳＴ２９で運転スイッチがＯＦＦされるまで）、不揮発性記憶装置６への書き込みが不許可になっているので検査員がキーの受付確認のために操作部３の自動キーや手動キーを押して設定を変更しても不揮発性記憶装置６には書き込まないので、運転スイッチ１をＯＦＦする前に、検査員が工場出荷時の初期値に再度合わせる必要もなく、検査作業を効率化でき、かつ、必ず工場出荷設定値になっているので品質を安定させることができる。
【００２８】
次に、ＳＴ２０〜ＳＴ２８はシーズヒーター７、シーズヒーター８、マイカヒーター９に各々対応させたＬＥＤを点灯させるシーケンスである。つまり、シーズヒーター７のＯＮ／ＯＦＦに対応して、表示部４に配設された７セグメントＬＥＤの上横棒セグメントを点灯／消灯させる（ＳＴ２０〜ＳＴ２２）。
【００２９】
シーズヒーター８のＯＮ／ＯＦＦに対応して、表示部４に配設された７セグメントＬＥＤの中横棒セグメントを点灯／消灯させる（ＳＴ２３〜ＳＴ２５）。マイカヒーター９のＯＮ／ＯＦＦに対応して、表示部４に配設された７セグメントＬＥＤの下横棒セグメントを点灯／消灯させる（ＳＴ２６〜ＳＴ２８）。検査員はどのヒーターに通電しているのか表示部４で確認できるので、特別な設備を準備しなくても配線ミスや部品不良によりヒーターに通電できていない場合を検出できるので検査作業を効率化できる。
【００３０】
ＳＴ２９では、運転スイッチをＯＦＦすると最初のＳＴ１１に戻る構成になっており、特殊処理モードを受け付けた後は、運転スイッチのＯＦＦでのみ特殊処理モードを解除できる構成にすることにより、容易に解除できるので、検査作業の効率化ができる。
【産業上の利用可能性】
【００３１】
以上のように、本発明にかかる暖房機の制御装置は、生産工程での不良品の発見を容易に出来るとともに検査作業を効率化することができるので、石油燃焼暖房機やガス燃焼暖房機、エアコンなど空調機器の制御装置の用途にも適用可能である。
【図面の簡単な説明】
【００３２】
【図１】本発明の実施の形態１における暖房機のブロック図
【図２】本発明の実施の形態１における制御装置のフローチャート
【符号の説明】
【００３３】
２  制御部
３  操作部
４  表示部
５  室温サーミスタ
６  不揮発性記憶装置
７，８  シーズヒーター
９  マイカヒーター
【図１】
2006349300.tif 000003
【図２】
2006349300.tif 000004